(57)【要約】【課題】光源の発光手段であるランプを交換する間や、ランプを点灯させて所定の輝度が得られるまでの間に受信した放送のＡＶ信号を出力する投写型表示装置を提供する。【解決手段】投写型表示装置は、放送を受信する放送受信部５４と、発光手段であるランプ４８に電力を供給することで光束を射出する光源部９２と、光源部９２から射出された光束の強度を測定する光強度測定部６０と、少なくとも映像信号を含むＡＶ信号を出力するＡＶ信号出力部６４と、ランプ４８に電力が供給された状態であり、かつ、光強度測定部６０で測定した光束の強度が一定の値を越えない場合に、放送受信部５４で受信する放送のＡＶ信号をＡＶ信号出力部６４に出力させる出力制御部６２と、を備える。【選択図】図２
2007235665.tif 000002
【特許請求の範囲】
【請求項１】
放送を受信して得られる画像情報に応じて光束を変調することにより光学像を形成し、当該形成した光学像を投写して表示する投写型表示装置であって、
放送を受信する受信部と、
発光手段に電力を供給することで光束を射出する光源部と、
前記光源部から射出された光束の強度を測定する光強度測定部と、
少なくとも映像信号を含むオーディオ・ビデオ（ＡＶ）信号を出力する出力部と、
前記発光手段に電力が供給された状態であり、かつ、前記光強度測定部で測定した光束の強度が一定の値を越えない場合に、前記受信部で受信する放送のＡＶ信号を前記出力部に出力させる出力制御部と、
を備えることを特徴とする投写型表示装置。
【請求項２】
請求項１に記載の投写型表示装置において、
前記出力制御部は、更に、
前記光強度測定部で測定した光束の強度が、前記一定の値を越えない状態から、一定の値を越えた状態に遷移した場合に、前記出力部による前記ＡＶ信号の出力を終了させることを特徴とする投写型表示装置。
【請求項３】
請求項１乃至２のいずれかに記載の投写型表示装置において、
前記発光手段は交換可能であり、
前記発光手段の交換が必要な状態を検出する検出部を更に備えると共に、
前記出力制御部は、更に、
前記検出部による前記状態の検出を受け、前記受信部で受信する放送のＡＶ信号を、前記出力部に出力させることを特徴とする投写型表示装置。
【請求項４】
請求項１乃至３のいずれか１項に記載の投写型表示装置において、
前記出力部から出力される前記放送のＡＶ信号を記憶する記憶部を更に備えることを特徴とする投写型表示装置。
【請求項５】
請求項４に記載の投写型表示装置において、
少なくとも前記記憶に関する動作を指示する指示部を更に備えることを特徴とする投写型表示装置。
【請求項６】
請求項４乃至５のいずれかに記載の投写型表示装置において、
前記記憶に関する動作の情報および前記発光手段の交換に関する情報の少なくとも１つを表示する表示部を更に備えることを特徴とする投写型表示装置。
【請求項７】
請求項６に記載の投写型表示装置において、
前記表示部は、前記表示する情報を投写される光学像に重畳して表示することを特徴とする投写型表示装置。
【請求項８】
請求項４乃至７のいずれか１項に記載の投写型表示装置において、
前記記憶部に記憶された前記ＡＶ信号を再生する映像再生部を更に備えることを特徴とする投写型表示装置。
【請求項９】
請求項１乃至８のいずれか１項に記載の投写型表示装置において、
前記出力部から出力される前記放送のＡＶ信号を、通信により送信する送信部を更に備えることを特徴とする投写型表示装置。
【請求項１０】
透過型スクリーンを一体的に備え、受信した放送の画像情報を透過型スクリーンに対して背面から投写表示するプロジェクションテレビであって、
請求項１乃至９のいずれか１項に記載の投写型表示装置を備えることを特徴とするプロジェクションテレビ。
【請求項１１】
光源部から射出された光束を、放送を受信して得られる画像情報に応じて変調して光学像を形成し、当該形成した光学像を投写して表示する投写型表示装置の制御方法であって、
光源部から射出された光束の強度を測定する光強度測定工程と、
前記測定された光束の強度が一定の値を超えたか、否かを判定する強度判定工程と、
前記判定の結果、前記光束の強度が前記一定の値を超えない場合、
受信した放送のオーディオ・ビデオ（ＡＶ）信号を記憶する記憶工程と、
前記判定の結果、前記光束の強度が前記一定の値を超えない状態から、当該一定の値を超えた状態に遷移した場合、
前記ＡＶ信号を記憶する動作を終了する記憶動作終了工程と、
を備えることを特徴とする投写型表示装置の制御方法。
【請求項１２】
光源部から射出された光束を、放送を受信して得られる画像情報に応じて変調して光学像を形成し、当該形成した光学像を投写して表示する投写型表示装置の制御プログラムであって、
光源部から射出された光束の強度を測定する光強度測定手順と、
前記測定された光束の強度が一定の値を超えたか、否かを判定する強度判定手順と、
前記判定の結果、前記光束の強度が前記一定の値を超えない場合、
受信した放送のオーディオ・ビデオ（ＡＶ）信号を記憶する記憶手順と、
前記判定の結果、前記光束の強度が前記一定の値を超えない状態から、当該一定の値を超えた状態に遷移した場合、
前記ＡＶ信号を記憶する動作を終了する記憶動作終了手順と、
をコンピュータに実行させることを特徴とする投写型表示装置の制御プログラム。
【発明の詳細な説明】
【技術分野】
【０００１】
本発明は、投写型表示装置、プロジェクションテレビ、投写型表示装置の制御方法および投写型表示装置の制御プログラムに関する。
【背景技術】
【０００２】
液晶表示素子のような非発光型の表示素子に形成された映像を、スクリーンなどに拡大投写して表示する投写型表示装置は、表示素子に比べて大きなサイズの映像表示を容易に実現できるため、プロジェクタや、下記特許文献１に記載されているような、受信した放送番組を大画面に投写するプロジェクションテレビに適用されている。また、このタイプの表示装置では、光源として高い光度と高い点光源性を有する高圧水銀ランプ、キセノンランプおよびメタルハライドランプ等が用いられ、視聴者が光源を比較的容易に交換できる構成となっているため、光源が劣化や破損した場合には、光源を交換することで製品初期の理想的な表示状態を容易に再生することが出来る。
【０００３】
【特許文献１】特開２００５−１３４８５８号公報
【発明の開示】
【発明が解決しようとする課題】
【０００４】
しかしながら、前記したランプは、点灯後に映像視聴に適する程の十分な明るさに達するまでに１〜２分を必要とするため、その期間にあっては放送された情報を十分な画質で視聴できなかった。また、ランプの寿命が１００時間から１００００時間と比較的短いことに加え、ランプの使用状態や品質変動により、映像の表示中に突然切れることがあるため、その都度、ランプの交換作業が必要となり、その場合、点灯によって高温となっているランプを冷却するための時間、視聴者によるランプ交換作業の時間、そして、ランプ交換後の点灯時間（所定の輝度までの立ち上がり時間）等が必要で、これらの作業が完了するまでの間は、映像表示を中断させる必要があった。従って、このような投写型表示装置を適用したプロジェクションテレビを使用する視聴者は、予期しないランプ交換により、映像表示が中断された間に放送された情報を取得（視聴）できなかった。
【課題を解決するための手段】
【０００５】
上記した課題を解決するために、本発明の投写型表示装置は、放送を受信して得られる画像情報に応じて光束を変調することにより光学像を形成し、当該形成した光学像を投写して表示する投写型表示装置であって、放送を受信する受信部と、発光手段に電力を供給することで光束を射出する光源部と、前記光源部から射出された光束の強度を測定する光強度測定部と、少なくとも映像信号を含むオーディオ・ビデオ（ＡＶ）信号を出力する出力部と、前記発光手段に電力が供給された状態であり、かつ、前記光強度測定部で測定した光束の強度が一定の値を越えない場合に、前記受信部で受信する放送のＡＶ信号を前記出力部に出力させる出力制御部と、を備えることを特徴とする。
【０００６】
この発明によれば、発光手段に電力が供給された状態であって、かつ、発光手段から射出される光の強度が一定の値を超えない状態の場合、出力制御部は、受信した放送のＡＶ信号を出力部から出力させることから、視聴者は、出力部から出力されるＡＶ信号を取得することで、発光手段が発光できないか、または、所定の強度で発光できない場合のように、視聴可能に投写表示できない状況下で放送された情報を取得できる。
【０００７】
本発明の投写型表示装置では、前記出力制御部は、更に、前記光強度測定部で測定した光束の強度が、前記一定の値を越えない状態から、一定の値を越えた状態に遷移した場合に、前記出力部による前記ＡＶ信号の出力を終了させることが好ましい。
【０００８】
この発明によれば、光束の強度が、一定の値を越えない状態から、一定の値を越えた状態に遷移した場合、出力部から出力されているＡＶ信号は、出力制御部により出力が終了されるため、出力部からのＡＶ信号の出力を、視聴不可能な投写表示状態の時のみに限定できる。
【０００９】
本発明の投写型表示装置では、前記発光手段は交換可能であり、前記発光手段の交換が必要な状態を検出する検出部を更に備えると共に、前記出力制御部は、更に、前記検出部による前記状態の検出を受け、前記受信部で受信する放送のＡＶ信号を、前記出力部に出力させても良い。
【００１０】
この発明によれば、発光手段を交換すべき状態は、検出部により検出されるため、発光手段を交換すべき状態においても、出力部からＡＶ信号を出力させることができる。
【００１１】
本発明の投写型表示装置は、前記出力部から出力される前記放送のＡＶ信号を記憶する記憶部を更に備えることが好ましい。
【００１２】
この発明によれば、出力部から出力されるＡＶ信号を記憶させて保存できる。
【００１３】
本発明の投写型表示装置は、少なくとも前記記憶に関する動作を指示する指示部を更に備えることが好ましい。
【００１４】
この発明によれば、記憶に関する動作を含む種々の動作を、指示部により容易に指示できる。
【００１５】
本発明の投写型表示装置は、前記記憶に関する動作の情報および前記発光手段の交換に関する情報の少なくとも１つを表示する表示部を更に備えることが好ましい。
【００１６】
この発明によれば、記憶に関する動作の情報および発光手段の交換に関する情報の少なくとも１つが表示部に表示されるため、記憶動作や発光手段の交換に関する情報を容易に視認できる。
【００１７】
本発明の投写型表示装置では、前記表示部は、前記表示する情報を投写される光学像に重畳して表示しても良い。この発明によれば、投写表示される画面の中に情報を表示するため、多くの情報が表示可能であると共に、視聴者にとって視認性が向上される。
【００１８】
本発明の投写型表示装置は、前記記憶部に記憶された前記ＡＶ信号を再生する映像再生部を更に備えることが好ましい。
【００１９】
この発明によれば、記憶部に記憶させて保存したＡＶ信号を、映像再生部により再生して視聴できる。
【００２０】
本発明の投写型表示装置は、前記出力部から出力される前記放送のＡＶ信号を、通信により送信する送信部を更に備えることが好ましい。
【００２１】
この発明によれば、送信部により、出力部から出力されるＡＶ信号を外部に送ることができる。
【００２２】
そして、前述の投写型表示装置を、透過型スクリーンを一体的に備えて受信した放送の画像情報を透過型スクリーンに対して背面から投写表示するプロジェクションテレビに適用することにより、視聴者にとって使い勝手の良いプロジェクションテレビを提供できる。
【００２３】
上記した課題を解決するために、本発明の投写型表示装置の制御方法は、光源部から射出された光束を、放送を受信して得られる画像情報に応じて変調して光学像を形成し、当該形成した光学像を投写して表示する投写型表示装置の制御方法であって、光源部から射出された光束の強度を測定する光強度測定工程と、前記測定された光束の強度が一定の値を超えたか、否かを判定する強度判定工程と、前記判定の結果、前記光束の強度が前記一定の値を超えない場合、受信した放送のオーディオ・ビデオ（ＡＶ）信号を記憶する記憶工程と、前記判定の結果、前記光束の強度が前記一定の値を超えない状態から、当該一定の値を超えた状態に遷移した場合、前記ＡＶ信号を記憶する動作を終了する記憶動作終了工程と、を備えることを特徴とする。
【００２４】
この発明によれば、発光手段に電力が供給された状態であって、かつ、発光手段から射出される光の強度が一定の値を超えない状態の場合、出力制御部は、受信した放送のＡＶ信号を出力部から出力させることから、視聴者は、出力部から出力されるＡＶ信号を取得することで、発光手段が発光できないか、または、所定の強度で発光できない場合のような視聴可能に投写表示できない状態で放送された情報を取得できる。
【００２５】
上記した課題を解決するために、本発明の投写型表示装置の制御プログラムは、光源部から射出された光束を、放送を受信して得られる画像情報に応じて変調して光学像を形成し、当該形成した光学像を投写して表示する投写型表示装置の制御プログラムであって、光源部から射出された光束の強度を測定する光強度測定手順と、前記測定された光束の強度が一定の値を超えたか、否かを判定する強度判定手順と、前記判定の結果、前記光束の強度が前記一定の値を超えない場合、受信した放送のオーディオ・ビデオ（ＡＶ）信号を記憶する記憶手順と、前記判定の結果、前記光束の強度が前記一定の値を超えない状態から、当該一定の値を超えた状態に遷移した場合、前記ＡＶ信号を記憶する動作を終了する記憶動作終了手順と、をコンピュータに実行させることを特徴とする。
【００２６】
この発明によれば、発光手段に電力が供給された状態であって、かつ、発光手段から射出される光の強度が一定の値を超えない状態の場合、出力制御部は、受信した放送のＡＶ信号を出力部から出力させることから、視聴者は、出力部から出力されるＡＶ信号を取得することで、発光手段が発光できないか、または、所定の強度で発光できない場合のような視聴可能に投写表示できない状態で放送された情報を取得できる。
【発明を実施するための最良の形態】
【００２７】
以下、本発明の実施形態について、投写型表示装置の一例として、ライトバルブ方式のプロジェクションテレビ１を用いて説明する。
（実施形態）
【００２８】
図１は、プロジェクションテレビ１のハードウェア構成を示す図である。このプロジェクションテレビ１は、放送を受信して得られる画像（映像）情報に応じて、発光手段であるランプ４８から発する光を成形して得られる光束を、表示素子である液晶ライトバルブ５０で変調することにより光学像を形成し、この形成した光学像を投写レンズ５２によりスクリーン（図示は省略）に背面から拡大投写して表示するテレビジョン受信機である。このプロジェクションテレビ１のハードウェア構成は、ＣＰＵ（Ｃｅｎｔｒａｌ  Ｐｒｏｃｅｓｓｉｎｇ  Ｕｎｉｔ）１０と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１４と、入出力Ｉ／Ｆ（Ｉｎｔｅｒｆａｃｅ）１６と、ランプ制御回路１８と、光強度検出回路２０と、受信回路２２と、通信Ｉ／Ｆ２４と、画像メモリ２６と、ビデオデコーダ２８と、ビデオプロセッサ３０と、ライトバルブ駆動回路３２とを備える。また、これらのハードウェアは、バス４６により各信号が授受可能に接続されている。
【００２９】
ＣＰＵ１０は、ＲＯＭ１４に格納された基本制御プログラムなどの各種プログラム及びデータを読み込み、これらの各種プログラム及びデータをＲＡＭ１２内に設けられるメインメモリ領域に展開して実行し、プロジェクションテレビ１が備える各部を制御する。
【００３０】
光強度検出回路２０は、光源部９２（図２）から射出される光の強度を測定すべく、光源部９２の光路上、或いは光源部９２からの光を受光できる光路外の位置に設置された光強度センサ４０から出力される電気信号を、所定の間隔でサンプリングして入力すると共に、入力した電気信号をデジタルデータに変換して出力する。尚、光強度センサ４０は、光の強度に応じた電流を出力するフォトダイオードのような受光素子を採用できる。
【００３１】
受信回路２２は、光や音波等に重畳されて操作リモコン４２から送られる操作信号を受信して操作信号を抽出し、操作信号を所定のデータ形式に変換して出力する。
【００３２】
通信Ｉ／Ｆ２４は、通信装置４４を介して、種々のデータをやり取りする。本実施形態では、通信装置４４として、ネットワーク８２（図２）を介して外部と通信するネットワーク通信装置や、ＵＷＢ（Ｕｌｔｒａ  ＷｉｄｅＢａｎｄ）やＢｌｕｅｔｏｏｔｈ（登録商標）等を用いて小型情報端末８０（図２）等と交信する無線通信装置を採用できる。
【００３３】
入出力Ｉ／Ｆ１６には、チューナ３４と、記憶装置３６と、表示インジケータ３８とが所定の規格で接続されている。チューナ３４は、テレビ放送の電波を受信すると共に、受信した電波に含まれ、少なくとも映像信号を含むオーディオ・ビデオ（ＡＶ）信号を抽出して出力する機能を有する。記憶装置３６は、半導体メモリ、ＨＤＤ（Ｈａｒｄ  Ｄｉｓｋ  Ｄｒｉｖｅ）もしくはＤＶＤ（Ｄｉｇｉｔａｌ  Ｖｅｒｓａｔｉｌｅ  Ｄｉｓｃ）レコーダ等のように、テレビ放送のＡＶ信号を記憶（録画）する機能を有する。また、表示インジケータ３８は、例えば、ＬＥＤ（Ｌｉｇｈｔ  Ｅｍｉｔｔｉｎｇ  Ｄｉｏｄｅ）のランプで構成され、本実施形態では、図示は略すが、少なくとも、「ランプ交換中」を示すインジケータと、「ランプ駆動中」を示すインジケータと、「録画中」を示すインジケータと、「録画済み」を示すインジケータとを具備する。また、インジケータは、点灯時の色の状態や、点灯状態、点滅状態および消灯状態により、それぞれの状態を示しても良い。
【００３４】
ビデオデコーダ２８は、チューナ３４から入力されたＡＶ信号に含まれるアナログ画像信号に対してＡ／Ｄ（Ａｎａｌｏｇ  ｔｏ  Ｄｉｇｉｔａｌ）変換を行ったり、圧縮されたデジタル画像信号を伸張するなどを行い、ビデオプロセッサ３０に入力可能なデジタル画像信号に変換する。また、ビデオプロセッサ３０は、ビデオデコーダ２８で変換されたデジタル画像信号を入力して、種々の画像処理を実行する。この画像処理により、例えば、デジタル画像の各画素は赤、緑、青の各色光に分解されて、各色光毎に画像信号が生成される。更に、画像メモリ２６は、これらの画像処理を行うために、デジタル画像信号を一時的に保管するためのメモリである。
【００３５】
ライトバルブ駆動回路３２は、ビデオプロセッサ３０により生成された各色光ごとの画像信号に従い、赤、緑、青の各色光毎に構成される液晶ライトバルブ５０の画素に駆動電圧を供給する。
【００３６】
ランプ制御回路１８は、ランプ４８に供給する電力を制御することにより、ランプ４８の点灯や消灯、および投写される画像の照度等を調整すると共に、ランプ４８に印加されている電圧情報を取得して出力する。尚、本実施形態のプロジェクションテレビ１で用いられるランプ４８は、高い光度と高い点光源性を有するランプであれば、どのようなランプ（例えば高圧水銀ランプ、メタルハライドランプ、キセノンランプ、ハロゲンランプ）でも良く、ＬＥＤやレーザー等の固体光源であっても良い。
【００３７】
図２は、プロジェクションテレビ１の機能構成を示す図である。このプロジェクションテレビ１は、放送受信部５４と、ＡＶ信号処理部５６と、画像信号生成部５８と、光強度測定部６０と、出力制御部６２と、ＡＶ信号出力部６４と、動作表示部６６と、映像再生部６８と、動作情報生成部７０と、操作指示部７２と、ＡＶ信号記憶部７４と、ＡＶ信号送信部７６と、ランプ状態検出部７８と、光源制御部８６と、拡大投写部９０とを備える。また、拡大投写部９０は、光源部９２と、投写画像生成部９４と、投写レンズ５２とを有する。
【００３８】
放送受信部５４は、受信した放送からＡＶ信号を抽出する。抽出されたＡＶ信号は、ＡＶ信号処理部５６に送られる。尚、放送の形態は、電波を媒体とする放送に限定されるものでは無く、光伝送等を用いたケーブルテレビ放送や、ネットワークを介したライブ配信でもよい。
【００３９】
ＡＶ信号処理部５６は、放送受信部５４や、映像再生部６８から入力されるＡＶ信号から、時系列的に連続した画像フレームで構成されるデジタル画像の信号を生成する。生成されたデジタル画像の信号は、画像信号生成部５８とＡＶ信号出力部６４に送られる。また、ＡＶ信号処理部５６は、動作情報生成部７０から送られる文字列を画像の上に重畳させて表示させるべく、デジタル画像の信号を処理する機能を有する。
【００４０】
画像信号生成部５８は、ＡＶ信号処理部５６から入力されるデジタル画像の信号から投写可能な画像の信号を生成する。生成された信号は、投写画像生成部９４に送られる。また、ＡＶ信号出力部６４は、ＡＶ信号処理部５６から入力されるデジタル画像の信号を、出力制御部６２からの指示に従い出力する。ここで、ＡＶ信号出力部６４から出力されたＡＶ信号は、ＡＶ信号記憶部７４とＡＶ信号送信部７６に送られる。また、出力制御部６２からの指示に関する情報は、動作情報生成部７０に送られる。
【００４１】
ここで、拡大投写部９０の機能について概説する。この拡大投写部９０は、フロントプロジェクタやリアプロジェクタで採用される投写光学系と略同一であり、光源部９２は、ランプ４８と照明光学系９６を具備して、照明光を生成する。この照明光学系９６は、図示は略すが、レンズアレイや偏光素子等を含み、ランプ４８から発した光を照度が均一な光束に成形する機能を有する。尚、前記した光強度センサ４０は、この光束を受光できる位置に設置されている。投写画像生成部９４は、不図示の色分離手段により光束を赤、緑および青の各色光に分離して、色光毎に液晶ライトバルブ５０で画像信号に応じた変調を行い、それぞれの色光の変調画像を不図示の色合成手段により合成して光学像を生成する機能を有する。更に、投写レンズ５２は、色合成手段で合成された光学像を所定の倍率で拡大して投写表示する機能を有する。尚、拡大投写部９０の各機能に関する詳細な内容は、本発明の要旨ではないため、省略する（かかる詳細な内容については、例えば、特開２００２−３５０７８１号公報を参照）。
【００４２】
光源制御部８６は、ランプ４８に供給する電源を制御すると共に、ランプ４８に電力を供給する電源の情報をランプ状態検出部７８に送る。尚、本実施形態では、ランプ４８への電源供給と、プロジェクションテレビ１のランプ４８以外への電源供給をそれぞれ独立して制御できるように構成されている。従って、ランプ４８交換の際は、ランプ４８に対する電源の供給のみを停止できる。
【００４３】
光強度測定部６０は、光源部９２から射出される光束の強度、即ち、照明光の強度を測定する。具体的には、前記した光強度センサ４０と光強度検出回路２０により、照明光の強度を示すデータが生成され、生成されたデータは、出力制御部６２とランプ状態検出部７８に送られる。
【００４４】
ランプ状態検出部７８は、光源制御部８６から送られるランプ４８に電力を供給する電源の情報と、ランプ４８への印加電圧と、光強度測定部６０から送られる照明光の強度を示すデータとから、ランプ４８の交換が必要な状態、即ち、ランプ４８が切れた状態や、ランプ４８への電力供給状態を検出する。ここで検出された情報は、出力制御部６２に送られる。
【００４５】
出力制御部６２は、光強度測定部６０から送られる照明光の強度を示すデータや、ランプ状態検出部７８から送られるランプ４８の状態を示す情報に従い、ＡＶ信号出力部６４によるＡＶ信号の出力を制御する。ここで、出力制御部６２によるＡＶ信号の出力制御について、図３も参照して説明する。この図３は、ランプ４８の点灯開始からの時間と、光源部９２から射出される照明光の強度（光強度）の関係を示すグラフである。このグラフに示すように、プロジェクションテレビ１で用いられるようなランプ４８は、電源を投入してから光強度が安定（Ｂ２）するまで、３０秒から２分程度の時間（Ｔ２）を要することが知られている。また、画像を投写するのに最低限必要な光強度（Ｂ１）は、ランプ４８の特性により異なり、製品の出荷時に定数として設定しておくか、または、使用者に設定させることができる。
【００４６】
上記したデータや情報を参照し、出力制御部６２は、次に示すような制御を行う。
（１）ランプ４８に電力が供給されているにも係らず、ランプ４８への印加電圧が０の場合（フェーズ１）、出力制御部６２は、ランプ状態検出部７８によりランプ４８が切れた状態であると判断し、ＡＶ信号処理部５６から送られるＡＶ信号をＡＶ信号出力部６４から出力させる。
（２）ランプ４８に電力が供給されると共に、ランプ４８へ電圧が印加された状態であり、かつ、光強度がＢ１を越えない場合（フェーズ２）、出力制御部６２は、ランプ４８が起動初期状態であると判断し、ＡＶ信号処理部５６から送られるＡＶ信号をＡＶ信号出力部６４から出力させる。
（３）ランプ４８に電力が供給されると共に、ランプ４８へ電圧が印加された状態であり、かつ、光強度がＢ１を越えた場合（フェーズ３）、出力制御部６２は、ランプ４８が起動終了状態であると判断し、ＡＶ信号出力部６４からのＡＶ信号の出力を終了させる。但し、フェーズ２からフェーズ３に遷移した場合、出力しているＡＶ信号が示す番組を途中で終了させないために、ＡＶ信号の出力の終了または継続を、視聴者が操作する操作指示部７２の指示に従っても良い。
【００４７】
ＡＶ信号記憶部７４は、ＡＶ信号出力部６４から出力されるＡＶ信号を、前記した記憶装置３６に記憶する。また、ＡＶ信号送信部７６は、ＡＶ信号出力部６４から出力されるＡＶ信号を、前記した通信装置４４を介して、ネットワーク８２や小型情報端末８０に送信する。この結果、例えば、表示手段を有する小型情報端末８０は、離れた場所でＡＶ信号を受信して再生できる。尚、上記したＡＶ信号の記憶や送信は、視聴者により予め設定できるように構成されている。従って、ＡＶ信号をＡＶ信号記憶部７４に記憶すると共に、ＡＶ信号送信部７６から送信しても良く、また、記憶か送信の何れか一方のみを設定することもできる。
【００４８】
動作情報生成部７０は、ＡＶ信号出力部６４から送られる指示に関する情報を受け、指示内容に応じて、動作表示部６６を表示させる。具体的には、前記した表示インジケータ３８の中から、動作に対応したＬＥＤを所定の状態で点灯させる。加えて、動作情報生成部７０は、例えば放送チャンネル番号などのＡＶ信号の情報源、記憶開始時間、記憶終了時間、記憶時間、記憶先を示す情報等のような動作に対応した文字列情報を生成し、この文字列を投写される画像に重畳して表示させるべく、ＡＶ信号処理部５６に送ることができる。この結果、ＡＶ信号処理部５６に送られた文字列は、投写される画像上にスーパーインポーズ表示される。
【００４９】
映像再生部６８は、ＡＶ信号記憶部７４に記憶されたＡＶ信号を時系列に従い再生する。尚、この再生速度は設定できるため、例えば、現在放送されている番組に追い付くべく、記憶されたＡＶ信号を高速で再生するような設定や、コマーシャル部分を自動的に検出しその部分をスキップして再生するような設定も可能である。この映像再生部６８により再生されたＡＶ信号は、ＡＶ信号処理部５６に送られ、受信したＡＶ信号と同様に、拡大投写部９０により投写表示される。また、操作指示部７２は、操作リモコン４２を介して、ＡＶ信号記憶部７４への記憶動作を含め、上記した各機能部を操作すべく指示できる。
【００５０】
以上、プロジェクションテレビ１の各機能部を説明したが、これらの機能は、前記したハードウェア資源と、ソフトウェアとが有機的に協働することで実現される。
【００５１】
図４は、プロジェクションテレビ１における処理の流れを示すフローチャートであり、このフローチャートに従い説明する。
【００５２】
最初に、プロジェクションテレビ１が起動されると、光強度測定工程が実行され、光強度測定部６０により光源部９２から射出される照明光の強度が測定される（ステップＳ１００）。
【００５３】
次に、強度判定工程が実行され、出力制御部６２により照明光の強度が規定値（Ｂ１）以上か、否か判定される（ステップＳ１０１）。ここで、照明光の強度が規定値以上であった場合（ステップＳ１０１でＹｅｓ）、一連の処理を終了する。他方で、照明光の強度が規定値に達していない場合（ステップＳ１０１でＮｏ）、ランプ状態検出部７８により、ランプの状態が検出される（ステップＳ１０２）。
【００５４】
ここで、ランプ状態検出部７８がランプ切れを検出した場合（ステップＳ１０３でＹｅｓ）、ランプ交換時の処理（ステップＳ１１０）が実行された後、視聴者からの指示の有無を判定する工程（ステップＳ１１２）に進む。尚、ランプ交換時の処理（ステップＳ１１０）の詳細は後述する。他方で、ランプ状態検出部７８がランプ切れを検出しなかった場合（ステップＳ１０３でＮｏ）、記憶（録画）工程が実行される。即ち、出力制御部６２は、ランプ４８が起動初期状態であると判断し、ＡＶ信号出力部６４にＡＶ信号の出力を指示すると共に、出力されたＡＶ信号は、ＡＶ信号記憶部７４に記憶され、放送内容の録画が開始される（ステップＳ１０４）。
【００５５】
続いて、動作情報生成部７０により、録画中に対応する情報が動作表示部６６で表示される。具体的には、録画中に対応する表示インジケータ３８が所定の状態で点灯される（ステップＳ１０６）。更に、投写される画像上には、録画中である旨や録画内容（例えば録画開始時刻や録画チャンネル等の情報）を示すメッセージがスーパーインポーズ表示される（ステップＳ１０８）。
【００５６】
上記した処理により、放送内容が録画されている状態では、視聴者から送られる指示は、操作指示部７２を介して常時受け取ることが可能であり、受け取った指示に従い、処理が選択される（ステップＳ１１２）。ここで、視聴者からの指示が、録画終了であった場合（ステップＳ１１２で「終了」）、録画を終了する処理（ステップＳ１２０）に進む。また、視聴者からの指示が、録画継続であった場合（ステップＳ１１２で「継続」）、視聴者からの指示を待って指示に従う状態（ステップＳ１１２）を継続する。更に、視聴者からの指示が無い場合（ステップＳ１１２で「なし」）、光強度測定部６０により光源部９２から射出される照明光の強度が測定される（ステップＳ１１３）。
【００５７】
続いて、出力制御部６２により照明光の強度が規定値（Ｂ１）以上か、否か判定される（ステップＳ１１４）。ここで、照明光の強度が規定値に達していない場合（ステップＳ１１４でＮｏ）、視聴者からの指示を待って指示に従う状態（ステップＳ１１２）に戻る。他方で、照明光の強度が規定値以上であった場合（ステップＳ１１４でＹｅｓ）、出力制御部６２は、ランプ４８が起動終了状態であると判断し、表示インジケータ３８が所定の状態で点灯され、投写される画像上には照明光の強度が規定値に達したことを示す情報が表示される（ステップＳ１１６）。
【００５８】
ステップＳ１１６での前記情報を受け、視聴者は、現在録画中の番組内容を考慮して、番組の区切り等からこの時点で録画を終了するか、否かを判断し、操作指示部７２に指示する（視聴者が録画の継続を希望する場合には何らの指示は必要ない）。これに対応して、視聴者から録画を終了する指示が出されたか、否かが判定される（ステップＳ１１８）。ここで、録画を終了する指示が出されなかった場合（ステップＳ１１８でＮｏ）、視聴者からの指示を待って指示に従う状態（ステップＳ１１２）に戻る。他方で、録画を終了する指示が出された場合（ステップＳ１１８でＹｅｓ）、記憶動作終了工程が実行され、出力制御部６２により、ＡＶ信号出力部６４からのＡＶ信号出力が停止され、ＡＶ信号記憶部７４への録画が終了される（ステップＳ１２０）。
【００５９】
続いて、録画済みに対応する表示インジケータ３８が所定の状態で点灯される（ステップＳ１２２）。更に、投写される画像上には、録画済みである旨や録画内容（例えば録画期間や録画チャンネル等の情報）を示すメッセージがスーパーインポーズ表示され（ステップＳ１２４）、一連の処理が終了する。
【００６０】
次に、ランプ交換時の処理（ステップＳ１１０）について、図５のランプ交換のフローチャートを参照して説明する。
【００６１】
ランプ交換が実行されると、最初に、出力制御部６２は、ＡＶ信号出力部６４にＡＶ信号の出力を指示すると共に、出力されたＡＶ信号は、ＡＶ信号記憶部７４に記憶され、放送内容の録画が開始される（ステップＳ２００）。
【００６２】
続いて、動作情報生成部７０により、録画中に対応する情報が動作表示部６６で表示され、録画中に対応する表示インジケータ３８が所定の状態で点灯される（ステップＳ２０２）。更に、投写される画像上には、録画中である旨や録画内容（例えば録画開始時刻や録画チャンネル等の情報）を示すメッセージがスーパーインポーズ表示される（ステップＳ２０４）。
【００６３】
次に、光源制御部８６により、ランプ４８を駆動する電源の供給を停止する（ステップＳ２０６）。更に、ランプ交換中に対応する表示インジケータ３８が所定の状態で点灯される（ステップＳ２０８）。
【００６４】
続いて、視聴者によりランプ交換されるか、否かが判定される（ステップＳ２１０）。具体的には、操作指示部７２による操作、またはプロジェクションテレビ１に配置された所定のランプ交換ボタン（図示は略す）の押下により、視聴者の意思が確認される。ここで、視聴者によりランプ交換されないと判定された場合（ステップＳ２１０でＮｏ）、一連の処理は終了する。他方で、視聴者によりランプ交換されると判定された場合（ステップＳ２１０でＹｅｓ）、視聴者によりランプ４８が交換されるのを待つ（ステップＳ２１２）。尚、ランプ４８の交換は、視聴者の手作業による交換に限定されず、視聴者の指示に従い、自動的に予備のランプ４８に交換するような機能を具備しても良い。
【００６５】
視聴者によるランプ交換の終了を受け、視聴者によりランプ４８が点灯されるか、否かが判定される（ステップＳ２１４）。この判定も、ランプ交換の終了から所定の時間内における操作指示部７２による操作、またはプロジェクションテレビ１に配置された所定のランプ点灯ボタン（図示は略す）の押下により判定される。ここで、視聴者によりランプ４８は点灯されないと判定された場合（ステップＳ２１４でＮｏ）、一連の処理は終了する。他方で、視聴者によりランプ４８を点灯されると判定された場合（ステップＳ２１４でＹｅｓ）、ランプ駆動中に対応する表示インジケータ３８が所定の状態で点灯され（ステップＳ２１６）、一連の処理が終了する。
【００６６】
以上述べた実施形態によれば、以下のような効果を奏する。
（１）照明光の強度が規定値を越えない領域から、規定値以上に遷移した場合、録画を終了するか否かを視聴者の判断に委ねる工程（ステップＳ１１８）により、番組の区切りの良い個所まで録画を延長できるため、使い勝手が向上する。
（２）光源制御部８６により、ランプ４８の光源を独立して制御できるため、ランプ４８を交換する際の安全性を確保できる。
【００６７】
以上、本発明を図示した実施形態に基づいて説明したが、本発明は、本実施形態に限定されるものではなく、以下に述べるような変形例も想定できる。
（１）ランプ切れの判断は、ランプ４８への印加電圧の変化に限定されず、ランプ４８に流れる電流の変化やランプが放射する光（照明光）の強度等から判断しても良い。
（２）プロジェクションテレビ１の主電源が供給状態で、操作リモコン４２による操作で視聴を終了した場合は、視聴者による視聴終了指示の時点から視聴時と同じチャンネルの放送を一定の時間に渡り録画できるような機能を有しても良い。このような機能により、視聴者が視聴終了後の間もない期間に再び視聴を開始しようとした場合には、照明光が規定の強度に復元するまでの時間（５〜６分間）に放送された番組も録画されるため、その期間に放送された内容を再生して視聴できるため、使い勝手が向上する。
（３）画像情報により変調された光学像を形成する表示素子は、液晶ライトバルブ５０に限定されず、他の透過型液晶表示素子、反射型の液晶表示素子およびマイクロミラー型光変調装置のような微小ミラーアレイ素子などの非発光型デバイスでも良い。また、プロジェクションテレビ１のような拡大投写する装置以外に、実施形態で述べたような光源を有する直視型の表示装置に対しても適用できる。
【図面の簡単な説明】
【００６８】
【図１】本発明の実施形態に係るプロジェクションテレビのハードウェア構成を示す図。
【図２】本発明の実施形態に係るプロジェクションテレビの機能構成を示す図。
【図３】ランプの点灯開始からの時間と、光源部から射出される光束の強度の関係を示すグラフ。
【図４】本発明の実施形態に係るプロジェクションテレビにおける処理の流れを示すフローチャート。
【図５】ランプ交換処理の流れを示すフローチャート。
【符号の説明】
【００６９】
１…プロジェクションテレビ、１０…ＣＰＵ、１２…ＲＡＭ、１４…ＲＯＭ、１６…入出力Ｉ／Ｆ、１８…ランプ制御回路、２０…光強度検出回路、２２…受信回路、２４…通信Ｉ／Ｆ、２６…画像メモリ、２８…ビデオデコーダ、３０…ビデオプロセッサ、３２…ライトバルブ駆動回路、３４…チューナ、３６…記憶装置、３８…表示インジケータ、４０…光強度センサ、４２…操作リモコン、４４…通信装置、４６…バス、４８…ランプ、５０…液晶ライトバルブ、５２…投写レンズ、５４…放送受信部、５６…ＡＶ信号処理部、５８…画像信号生成部、６０…光強度測定部、６２…出力制御部、６４…ＡＶ信号出力部、６６…動作表示部、６８…映像再生部、７０…動作情報生成部、７２…操作指示部、７４…ＡＶ信号記憶部、７６…ＡＶ信号送信部、７８…ランプ状態検出部、８０…小型情報端末、８２…ネットワーク、８６…光源制御部、９０…拡大投写部、９２…光源部、９４…投写画像生成部、９６…照明光学系。
【図１】
2007235665.tif 000003
【図２】
2007235665.tif 000004
【図３】
2007235665.tif 000005
【図４】
2007235665.tif 000006
【図５】
2007235665.tif 000007